Podtech/llm-jp-corpus-v4-ja_patent huggingface dataset:
(57)【要約】【課題】狭い場所で短時間に、タイヤチェーンが絡まずに出し入れできる、タイヤチェーン掛けを提供する。【解決手段】取り付け板の中央部に小孔を設けたタイヤチェーン受け金具を設けて、そのタイヤチェーン受け金具の上面に押さえピンを設けた上金具が、左右および上下に習動自在とすることを特徴とするタイヤチェーン掛けである。【選択図】図１
2008184151.tif 000002
【特許請求の範囲】
【請求項１】
取り付け板の中央部に小孔を設けたタイヤチェーン受け金具を設けて、そのタイヤチェーン受け金具の上面に押さえピンを設けた上金具が、左右および上下に習動自在とすることを特徴とするタイヤチェーン掛。
【発明の詳細な説明】
【技術分野】
【０００１】本発明は、タイヤチェーンの出し入れを、早く楽に作業が出来るタイヤチェーン掛けに関するものである。
【背景技術】
【０００２】従来、タイヤチェーンを出し入れするときは、Ｕ字型のタイヤチェーン掛けを使用していた。
【発明の開示】
【発明が解決しようとする課題】
【０００３】そのために、次のような問題点があった。
（イ）後輪からリヤバンパーの間が狭いトラックは、取り付けられなかった。ただし後輪からリヤバンパーの間が広いトラックは取り付けられているが、悪路を走行中にタイヤチェーンがずれ落ちて、タイヤチェーンの末端が路面に接触し損傷する。
（ロ）トラックのシャーシや荷台の下に直接取り付けてあるため、無理な姿勢で無駄な力を使ってタイヤチェーンを出し入れしていた。
（ハ）無理な姿勢でタイヤチェーンを降ろすため、タイヤチェーンが絡まり解く手間がある。
本発明は以上の問題点を解決使用とするものである。
【課題を解決するための手段】
【０００４】取り付け板中央部に小孔を設けたタイヤチェーン受け金具を設けて、そのタイヤチェーン受け金具の上面に押さえピンを設けた上金具が左右および上下に習動自在とすることを特徴とするタイヤチェーン掛けである。
【発明の効果】
【０００５】  狭い場所に取り付けられ、楽に出し入れできるので、身体にかかる負担が少ない。
又、タイヤチェーンを降ろしたとき絡まないので、時間短縮になる。
【発明を実施するための最良の形態】
【０００６】  以下、本発明の実施の形態を説明する。
（イ）上下に取り付け穴（５）を設けた長方形状の取り付け板（４）に、アングル形状のタイヤチェーン受け金具（１）を設ける。
（ロ）この受け金具（１）には、まる棒のストッパー（１０）を金具の端に設け、さらに小孔（７）（１１）を設けている。
（ハ）受け金具（１）の上面に押さえピン（３）を設け上金具（２）を設ける。この受け金具（２）の端にコの字状の基台（６）を設け、上金具（２）に固着された支軸（８）が基台（６）の内部を貫通して、受け金具（１）の小孔（７）を介して割りピン（１３）とワッシャー（１２）とによって止められている。
（二）上金具（２）は支軸（８）によって受け金具（１）の上面に装着され、上金具（２）は左右の習動自在としている。また上金具（２）はコの字状の基台（６）を設けているが、基台（６）の上面は傾斜面を有する。これは、押さえピン（３）が受け金具（１）の小孔（１１）から開放させるための傾斜面である。
本発明は、以上の構成よりなっている。
本発明を使用するときは、上記のタイヤチェーン掛けをトラック（Ａ）のシャーシ（Ｂ）にボルト又は、溶接で取り付ける。
（イ）タイヤチェーン受け金具（１）にタイヤチェーン（１４）を掛けるときは、上金具（２）の手前部分を持ち上げ基台（６）がストッパー（１０）に当たるまで左右どちらかに寄せる。（図５）（図６）
（ロ）タイヤチェーン受け金具（１）に、タイヤチェーン（１４）の末端に鉤（１５）の付いた側を掛ける。（図７）
（ハ）タイヤチェーン（１４）のハシゴ部分（１６）を一段おき又は、二段おきで掛ける。（図８）
（二）タイヤチェーン（１４）最後のハシゴ部分（１６）を掛けたら、基台（６）に当たるまで押し、押さえピン（３）をタイヤチェーン（１４）最後のハシゴ部分（１６）中央と小孔（１１）に通す。（図９）
（ホ）タイヤチェーン（１４）をタイヤチェーン受け金具（１）から降ろすときは、上金具（２）を左右どちらかに寄せタイヤチェーン（１４）の手前ハシゴ部分（１６）を手（１８）でつかみ手前に引く。（図１０）
このような動作によって、タイヤチェーン掛けが無理なく容易に出来、しかもタイヤチェーンの保護が図れる。
なお本発明について図３に示すように取り付け位置を示しているが、これ以外の場所において取り付け可能である。
例えば、図１１に示すように取り付け板（４）を取り付け具（Ｄ）に変更することにより、荷台（Ｅ）の下に取り付けることが可能になる。
【図面の簡単な説明】
【０００７】
【図１】  本発明の斜視図
【図２】  本発明の分解斜視図
【図３】  本発明の使用状態を示す斜視図
【図４】  本発明の使用状態を示す取り付け図
【図５】  本発明の使用状態を示す斜視図
【図６】  本発明の使用状態を示す斜視図
【図７】  本発明の使用状態を示す斜視図
【図８】  本発明の使用状態を示す斜視図
【図９】  本発明の使用状態を示す斜視図
【図１０】  本発明の使用状態を示す斜視図
【図１１】  本発明の使用状態を示す斜視図
【符号の説明】
【０００８】１      タイヤチェーン受け金具
２      上金具
３      押さえピン
４      取り付け板
５      取り付け穴
６      基台
７      小孔Ａ
８      支軸
９      穴
１０    ストッパー
１１    小孔Ｂ
１２    ワッシャー
１３    割りピン
１４    タイヤチェーン
１５    鉤
１６    ハシゴ部分
１７    タイヤチェーンの末端
１８    手
Ａ      トラック
Ｂ      シャーシ
Ｃ      リヤバンパー
Ｄ      取り付け具
Ｅ      荷台
【図１】
2008184151.tif 000003
【図２】
2008184151.tif 000004
【図３】
2008184151.tif 000005
【図４】
2008184151.tif 000006
【図５】
2008184151.tif 000007
【図６】
2008184151.tif 000008
【図７】
2008184151.tif 000009
【図８】
2008184151.tif 000010
【図９】
2008184151.tif 000011
【図１０】
2008184151.tif 000012
【図１１】
2008184151.tif 000013
(57)【要約】      （修正有）【課題】自動車の盗難防止、無免許運転の防止、免許証不携帯運転の防止、及び、免許証有効期限切れ運転の防止を可能とする自動車のエンジンの始動、停止コントロール装置を提供する。【解決手段】自動車の車内に装着のセンサー２に登録済みの運転免許証１を差し込んでエンジンの始動を行い、運転免許証１をセンサー２から抜き取って、エンジンの停止を行う。未登録の運転免許証１、または、有効期限切れの運転免許証１をセンサー２に差し込むと、エンジンは始動できない。【選択図】図２
2008184152.tif 000002
【特許請求の範囲】
【請求項１】
自動車の運転免許証を自動車のエンジンの始動および停止をコントロールするキーとして活用する事を目的とし、
（イ）運転免許証をセンサーに差し込むと  そのデーター（番号および有効期限）がそのセンサーに登録のものと一致していればセンサーからの信号によりリレーが作動し自動車のエンジンは始動、
（ロ）運転免許証をセンサーから抜き取ればエンジンは停止、
（ハ）運転免許証のデーターが登録のものと異なる  又は有効期限切れの場合センサーからの信号によりリレーが作動しエンジンは始動しない、
（ニ）運転免許証がセンサーに差し込まれない場合はエンジンは始動しない、
以上からなる作動条件を特徴とする自動車運転免許証が自動車のエンジンの始動および停止をコントロールする装置。
【発明の詳細な説明】
【技術分野】
【０００１】  本発明は、自動車のエンジンを始動および停止のコントロールを、自動車運転免許証で行う技術に関するものである。
【背景技術】
【０００２】  現在、自動車のエンジンを始動および停止させるには、キーをキー・シリンダーに差し込みキーをまわす方法、や、プッシュボタンを押す方法などがある。
本発明は、これら両者とは異なる、全く新しい発想である。
【発明の開示】
【発明が解決しようとする課題】
【０００３】（イ）自動車の盗難防止
（ロ）無免許運転の防止
（ハ）免許証不携帯運転の防止
（ニ）免許証有効期限切れ運転の防止
【課題を解決するための手段】
【０００４】（イ）運転免許証（１）のデーター（番号および有効期限）を、自動車の車内に装着のセンサー（２）に登録する。（図１および２参照）
（ロ）センサー（２）に登録済みの、運転免許証（１）をセンサー（２）に差し込めば自動車のエンジンは始動する。（図２参照）
（ハ）運転免許証（１）のデーターがセンサー（２）に未登録、有効期限切れ、および、運転免許証（１）をセンサー（２）に差し込まない場合、エンジンは始動しない。
（ニ）運転免許証を、キーとして活用する事で、課題は一挙に解決する。
【発明の効果】
【０００５】（イ）自動車の盗難防止効果
＊登録済みの運転免許証（１）をキーとして活用する事による。
（ロ）法的効果
＊免許証不携帯および無免許は“キーなし”の意味であり、免許証有効期限切れの場合も、センサーが読み取り、“キーなし”の意味である。従って、エンジンを始動させる事はできない。
【発明を実施するための最良の形態】
【０００６】（イ）自動車運転免許証（１）のデーター（番号および有効期限）を車内に装着のセンサー（２）に登録する。（図１および２参照）
（ロ）登録済みの運転免許証（１）は、エンジンを始動および停止のキーの役目を担う。（図１および２参照）
＊運転免許証（１）をセンサー（２）に差し込めば、エンジンは始動。
運転免許証（１）をセンサー（２）から抜き取れば、エンジンは停止。
＊運転免許証（１）がセンサー（２）に未登録、または、有効期限切れ、は“センサーの信号により”更に、免許証不携帯、無免許は“キーなし”により、共に、エンジンを始動する事はできない。
【図面の簡単な説明】
【０００７】
【図１】  本発明の構成部品の配置図
【図２】  本発明の核心部の、運転免許証がセンサーに差し込まれた状態図
【符号の説明】
【０００８】  １  自動車運転免許証
２  センサー
３  リレー
４  運転免許証に記載の氏名
５  運転免許証に記載の写真
【図１】
2008184152.tif 000003
【図２】
2008184152.tif 000004
(57)【要約】【課題】従来のマッサージオイルは油独自の油臭、皮膚に塗布してマッサージを行った際のオイルの伸展性、摩擦の保護、浸透性が不足、使用後の皮膚のベタつきや油の酸化、皮膚保湿や美肌効果が少ない等の問題があり、またバスオイルのベースオイルとして使用した場合に湯との混合しにくい問題があった。その上、外国産の油が殆どであったため、日本人の肌への感触や適合性や素材、油の製造方法は知られず、安全性の面にも問題があった。【解決手段】本発明は、アロマテラピー、エステティック、フットマッサージのマッサージオイルやバスオイルのベースオイルに関し、米、玄米、米胚芽油１〜１００％をマッサージオイルまたは、マッサージ、バスオイルのベースオイル用材とする。【選択図】なし【特許請求の範囲】
【請求項１】
食用または食品添加用、化粧品用、医薬品用の米油、玄米油、米胚芽油１〜１００％質量を有すアロマテラピー、エステティック、フットマッサージのマッサージオイルやバスオイルのベースオイル用材。
【発明の詳細な説明】
【産業上の利用分野】
【０００１】本発明は、アロマテラピー、エステティック、フットマッサージのマッサージオイルやバスオイルのベースオイルに関し、食用または食品添加用、化粧品用、医薬品用の米油、玄米油、米胚芽油１〜１００％質量をマッサージオイルまたはマッサージオイル用材、バスオイルのベースオイル用材に関するものである。
【背景技術】
【０００２】従来、アロマテラピーやエステティック等のキャリアオイルやマッサージオイル用材と、それに関連するバスオイルのベースオイル用材として、外国産のオリーブ、ホホバ、アーモンド、ココナッツオイル等や日本産の椿油等をそのまま、又は木、花、草から抽出したエッセンシャルオイル等を混ぜて使用していた。
【発明の開示】
【発明が解決しようとする課題】
【０００３】従来のマッサージオイルは油独自の油臭、皮膚に塗布してマッサージを行った際のオイルの伸展性、摩擦の保護、浸透性が不足、使用後の皮膚のベタつきや油の酸化、皮膚保湿や美肌効果が少ない等の問題があり、またバスオイルのベースオイルとして使用した場合に湯との混合しにくい問題があった。その上、外国産の油が殆どであったため、日本人の肌への感触や適合性や素材、油の製造方法は知られず、安全性の面にも問題があった。【０００４】例えば、特開２０００−４４４５９号公報、特開２０００−２６４８３４号公報、特開２００３−２３１６１３号公報には、米糠抽出物を使用したものが開示されている。また、特開２０００−１１９１５６号公報、特開２００１−１１４６３４号公報には、植物抽出物を含むものが開示されている。【０００５】しかしながら米、玄米、米胚芽油は従来、食用や食品添加可能な油剤であり、米糠抽出物を使用したものや植物抽出物を含む化粧品、医薬品、化粧品等を製品化されているが、複雑な過程を踏まず、精製した米油、玄米油、米胚芽油そのものを美容や健康へのマッサージオイルやバスオイルのベースオイル用材としての使用がなく、米油の含有する成分を直接肌に浸透させ、保湿、美肌等を得られるものはなかった。
【発明が解決するための手段】
【０００７】本発明は、アロマテラピー、エステティック、フットマッサージのマッサージオイルやバスオイルのベースオイルに関し、米、玄米、米胚芽油１〜１００％質量をマッサージオイルまたは、マッサージやバスオイルのベースオイル用材とする。
【発明の実施形態】
以下、本発明をその実施の形態に基づき米油、米玄油、米胚芽油のマッサージオイル、ベースオイル用材において詳細に説明する。
【０００８】本発明において用いられる食用または食品添加物用、化粧品用、医薬品用の米油、玄米油、米胚芽油の、米の産地、製造方法は特に限定さないが、厚生省認定の食品添加物公定書に記載されているものであればいずれでも用いることができる（同様に米国ＦＤＡ等の諸外国の公的機関において食品添加物として認められているものもこれに準じて取り扱うことが可能である。）。しかし、日本産の玄米から稲遺伝子組換原料や合成保存料は一切使用せず、合成、部分加水分解、酵素処理等の製法をせず製造された油が安全性の高いものとする。
【０００９】米油、玄米油、米胚芽油１〜１００％質量をマッサージやバスオイルのベースオイル用材とする。
【００１０】油脂に脂肪酸であるオレイン酸が４１〜４３％含まれ、皮膚の柔軟性に効果があり、この点からマッサージなどで使用した際に、摩擦減少と伸展性と浸透性が高く、使用後の肌へのベタつき感が解決。
【００１１】油脂にはバルミチン酸が１６〜１７％含まれ、皮膚中の酸素によってピュアレチノール（ビタミンＡ）に変化し、皮膚を正常な状態に保つ。
【００１２】油脂に含まれるトコトリエノールはオリーブ油やココナッツ油の数１０倍、１００ｇ中に７５ｍｇも含まれ、ビタミンＥのような作用があり、スーパービタミンＥとも呼ばれ、肌荒れ、かさつき予防の働きがある。
【００１３】油脂に含まれるイノシトールは、ビタミンＢ群の一種で皮膚細胞の増殖促進する。
【００１４】油脂に含まれるフィチン酸は活性酸素消去作用、皮膚細胞の成長促進作用がある。
【００１５】油脂に含まれる脂肪酸のリノレン酸は、１．３％含有され、アレルギーによる炎症を改善する効果が期待できる。
【００１６】油脂に脂肪酸のリノール酸が３４．９％以上含まれ、リノール酸は老化防止に効果がある。
【００１７】油脂に０．２〜０．５％含まれるγ−オリザノールは、他の油脂には含まれず、ビタミＥにも似た作用を持ち、血行をよくするとともに、皮脂の分泌を促し、老化した角質を取り除く一方、皮膚の表面を膜で保護する働きをもっています。また、シミの原因となるメラニン色素の成分過程の酵素、チロシナーゼの活性を阻害しその増殖を抑える美白効果と紫外線吸収防止作用がある他、油の酸化作用を抑制する。
【００１８】油脂に含まれるステアリン酸は１．６％含まれ、水と油を乳化し品質を安定に保つ。
【００１９】以上詳述したとおり、本発明は、米油、玄米油、米胚芽油をアロマテラピー用のキャリアオイルとして、又、エステティック、マッサージやバスオイルのベースオイルとして使用することで、皮膚への伸展性と浸透性、皮膚への摩擦減少、油の酸化への問題が解決し、皮膚の色素沈着、老化が防止され、美白・美肌効果に優れた発明である。
【実施例】
【００２０】米油、玄米油、米胚芽油をそれぞれ１００％質量と、米油、玄米油、米胚芽油質量９０％に対し、エッセンシャルオイル１０％質量配合した用材を過敏症の皮膚に塗布し、マッサージを施術する。皮膚の伸展性が高く、摩擦は減少され、皮膚への異常はない。皮膚への浸透性が高いため、使用後にタオル等で拭くだけで皮膚のベタつきがない。翌日の皮膚は保湿され、化粧水、乳液、クリームなど使用せずに肌のツッパリはなく、皮膚の張りが見られた。バスオイルとしての使用も湯との混合が良く、湯の感触が柔らかく、皮膚は保湿された。油の酸化も防げ、油剤独自の油臭がないことから、エッセンシャルオイルの香りの変化もない。
(57)【要約】【課題】  浄化材を使用せず、メンテナンスが容易であり、浮遊汚物の取り除き、浄化効率の良い、浴槽内での浴湯の浄化装置を提供することを目的とする。【解決手段】  浴槽１の湯面６に浮遊する浮体２を有し、該浮体２は、湯面６の近傍に複数の吸込み口７を配した湯面浮遊部３と、該湯面浮遊部３の中央に該吸込み口７から吸込んだ浴湯８を集合しフィルター９を介して排水口１０から湯面６の下方に排出するために内部にスクリューを有する垂下管４と、該スクリュー１１を駆動するモーター部５と、を備えたことを特徴とする浴槽内での浴湯の浄化装置である。【選択図】    図２
2008307319.tif 000002
【特許請求の範囲】
【請求項１】
浴槽の湯面に浮遊する浮体を有し、該浮体は、湯面の近傍に複数の吸込み口を配した湯面浮遊部と、該湯面浮遊部の中央に該吸込み口から吸い込んだ浴湯を集合しフィルターを介して排水口から湯面の下方に排出するために内部にスクリューを有する垂下管と、該スクリューを駆動するモーター部と、を備えたことを特徴とする浴槽内での浴湯の浄化装置。
【発明の詳細な説明】
【技術分野】
【０００１】
本発明は、浴槽内での浴湯を浄化するための浄化装置に関するものである。
【背景技術】
【０００２】
浴槽内の浴湯について、浴湯の一定の使用が済んでから、その都度浴湯を入れ替えるのではなく、従来、浴湯の使用中、或いは使用後において、浴湯を浄化再生する浴湯の浄化装置が提供されている。
例えば、特開２０００−１５０１６がある。
本公報による開示の技術は、図３により説明すると、浴湯の浄化装置は、槽体１６内に配設する本体部１７の吸込口部１８より槽液を吸い込み垂下管２１を上昇して吐出口部１９より吐出させる循環駆動装置を本体部１７内に設ける。槽体１６には、浮遊部２０を備え、液面を浮遊させることができる。本体部１７内の槽液通過部に浄化材の収納部を設け、吸込口開口部１８ａを塞ぐ逆止弁体を本体部１７内に可動自在に設け、吸込口開口部１８ａが液中にあるときは、少なくとも循環駆動装置により吸込口開口部１８ａから逆止弁体が離れ吸込口開口部１８ａは流入可能に開口し、本体部１７を持ち上げて吸込口開口部１８ａが液面より上昇したときは、逆止弁体の自重によって吸込口開口部１８ａが閉鎖される。
【０００３】
【特許文献１】特開２０００−１５０１６
【発明の開示】
【発明が解決しようとする課題】
【０００４】
ところが、この従来の装置では、浄化材による方式であり、それだけメンテナンスを必要とする。また、構造上、槽液内に垂下する一本の垂下管２１の先端の吸込口部１８より槽液を吸い込んで、循環駆動装置により、浮遊部２０の周囲に設けた吐出口部１９により槽液の上層に吐出させるものであるため、槽液の上層に浮上して溜まり易い浮遊汚物の浄化が効率良くなされないという難点がある。
【０００５】
本発明の目的は、浄化材を使用せず、メンテナンスが容易であり、浮遊汚物の取り除き、浄化効率の良い、浴槽内での浴湯の浄化装置を提供することにある。
【課題を解決するための手段】
【０００６】
本発明の浴槽内での浴湯の浄化装置は、浴槽１の湯面６に浮遊する浮体２を有し、該浮体２は、湯面６の近傍に複数の吸込み口７を配した湯面浮遊部３と、該湯面浮遊部３の中央に該吸込み口７から吸込んだ浴湯８を集合しフィルター９を介して排水口１０から湯面６の下方に排出するために内部にスクリュー１１を有する垂下管４と、該スクリュー１１を駆動するモーター部５と、を備えたことにより構成される。
【発明の効果】
【０００７】
本発明の浴槽内での浴湯の浄化装置は、浄化材を使用せず、メンテナンスが容易であり、浮遊方式であるので、湯面で浄化箇所を選択することができる。
また、本発明の浴槽内での浴湯の浄化装置は、湯面の近傍に複数の吸込み口を配しているので、汚物の溜まり易い湯面近傍の浮遊汚物を浄化効率良く取り除き、浴槽内での浴湯を浄化することができる。
【実施例】
【０００８】
本発明の実施例を図面とともに説明する。図１と図２において、本発明の浴槽内での浴湯の浄化装置は、浴槽１の湯面６に浮遊する浮体２を有する。浮体２は、平面上円形に構成されているが、四角形等であってもよい。浮体２は、複数（本例では、４箇所）の吸込み口７を配した湯面浮遊部３と、排水口１０を配した垂下管４と、とスクリュー１１を駆動するモーター部５と、を備える。スクリュー１１を駆動して、吸込み口７から浴湯８を吸込み、垂下管４に集合し、フィルター９を介して排水口１０から湯面６の下方に排出する。逆流防止弁１２によりフィルター９に溜まった汚物が逆流しないようにする。モーター部５には、乾電池１３を取替え可能としている。本装置は、固定用くさり１４と、その端部に設けた吸盤１５と、により浴槽１に固定することができる。
【産業上の利用可能性】
【０００９】
本発明は、浴槽内の湯面に浮遊可能な状態において浴湯を浄化する、浴湯の浄化装置に供することができる。
【図面の簡単な説明】
【００１０】
【図１】本発明の浴槽内での浴湯の浄化装置の実施例を説明する図である。（イ）は平面図、（ロ）は（イ）のＡ−Ａ視の断面図である。
【図２】図１の実施例の浄化装置の斜視図である。
【図３】従来の浴湯の浄化装置を示す図である。
【符号の説明】
【００１１】
１    浴槽
２    浮体
３    湯面浮遊部
４    垂下管
５    モーター部
６    湯面
７    吸込み口
８    浴湯
９    フィルター
１０  排水口
１１  スクリュー
１２  逆流防止弁
１３  乾電池
１４  固定用くさり
１５  吸盤
１６  槽体
１７  本体部
１８  吸込口部
１８a  吸込口開口部
１９  吐出口部
２０  浮遊部
２１  垂下管
【図１】
2008307319.tif 000003
【図２】
2008307319.tif 000004
【図３】
2008307319.tif 000005
(57)【要約】      （修正有）【課題】大地震でも商品が床に落下しにくいスウィング式棚を提供する。【解決手段】スウィング支える枠９の上部横梁５にスウィングリ−ド梁Ａを設け、スウィングリ−ド２を設け、スウィングリ−ド梁Ｂ３を設け、スウィング棚支える支柱を設け、スウィング棚８を設け、スウィング裏板を設け、スウィング裏板の下端に弾性バネパッキンを設ける。スウィング支える枠９の上部に横梁５を設け、スウィングリ−ド２を設け、スウィング妻板６を設け、スウィングリ−ド梁Ｂ３をスウィング妻板６の上部を貫き設け、スウィング棚８を設け、スウィング棚８下端にマグネット−＋１１を設けるスウィング式棚。【選択図】図２
2008307347.tif 000002
【特許請求の範囲】
【請求項１】
（９）スウィング支える枠．の上部（５）横梁．に（１）スウィングリ−ド梁Ａ．を設け（２）スウィングリ−ド．を設け（３）スウィングリ−ド梁Ｂ．を設け（４）スウィング棚支える支柱．を設け（８）スウィング棚．を設け（７）スウィング裏板．を設け（７）スウィング裏板．の下端に（１０）弾性バネパッキン．を設ける．スウィング式棚
【請求項２】
（９）スウィング支える枠．の上部に（５）横梁．を設け（２）スウィングリ−ドを設け（６）スウィング妻板．を設け（３）スウィングリ−ド梁Ｂ．を（６）スウィング妻板．の上部を貫き設け（８）スウィング棚．を設け（８）スウィング棚．の下端に（１１）マグネット−＋．を設ける．スウィング式棚
【発明の詳細な説明】
【発明の詳細な説明】
【技術分野】
【０００１】この発明は．大地震でも商品が床に落下しにくい．スウィング式棚．の装置に関するものである
【背景技術】
【０００２】従来の商品棚．は据え置き固定のため．大地震の時．揺れの吸収力が無いため商品棚から．商品．が床に落下．美術品．骨董．ガラス工芸品．等は床に落下した時は．悲惨だった．本発明は以上の欠点を補うための．発明である
【発明が解決しようとする課題】
次のような欠点があった．大地震の時．従来の固定した棚は．揺れの吸収力が無く．揺れの抵抗に弱く．棚上の商品が床に落下して多大な損害を被った．本発明は以上な欠点を．無くすために．発明されたものである
【課題を解決するための手段】
【０００４】（９）スウィング支える枠．の上部（５）横梁．に（１）スウィングリ−ド梁Ａ．を設け（２）スウィングリ−ド．を設け（３）スウィングリ−ド梁Ｂ．を設け（４）スウィング棚を支える支柱．を設け（８）スウィング棚．を設け（７）スウィング裏板．を設け（７）スウィング裏板．の下端に（１０）弾性バネパッキン．を設ける．スウィング式棚  （図２）に関して説明する．
（９）スウィング支える枠．の上部に（５）横梁．を設け（２）スウィングリ−ド．を設け（６）スウィング妻板．を設け（３）スウィングリ−ド梁Ｂ．を（６）スウング妻板．の上部を貫き設け（８）スウィング棚．を設け（８）スウィング棚．の下端に（１１）マグネット−＋．を設ける．スウィング式棚
【発明を実施するための最良の形態】
【０００５】次に本発明の形態を述べると．大地震の時．固定棚は．揺れの吸収力が無いため．商品が床に落下する．本発明は．（９）スウィング支える枠．の上部（５）横梁．に（１）スウィングリ−ド梁Ａ．を設け（２）スウィングリ−ド．を設け（３）スウィングリ−ド梁Ｂ．を設け（４）スウィング棚を支える支柱．をを設け（８）スウィング棚．を設け（７）スウィング裏板．を設け（７）スウィング裏板．の下端に（１０）弾性バネパッキン．を設けるため．前方と左右．の揺れを吸収する．（図２）に関して説明する．（９）スウィング支える枠．の上部に（５）横梁．を設け（２）スウィングリ−ドを設け（６）スウィング妻板．を設け（３）スウィングリ−ド梁Ｂ．を設け（６）スウィング妻板の上部を貫き設け（８）スウィング棚．を設け（８）スウィング棚．の下端に（１１）マグネット−＋．を設けるため．前方後方．左右の揺れが．吸収される．静止する時は（８）スウィング棚．の下端に（１１）マグネット−＋．が装着しているため静止する
【発明の効果】
【０００６】スウィング式棚．であるため．大地震でも商品が床に落下しにくい．スウィング式棚．を提供する
【図面の簡単な説明】
【０００７】
【図１】本発明の傾斜図
【図２】本発明の傾斜図
【符号の説明】
（１）スウィングリ−ド梁Ａ
（２）スウィングリ−ド
（３）スウィングリ−ド梁Ｂ
（４）スウィング棚支える支柱
（５）横梁
（６）スウィング妻板
（７）スウィング裏板
（８）スウィング棚
（９）スウィング支える枠
（１０）弾性バネパッキン
（１１）マグネット−＋
【図１】
2008307347.tif 000003
【図２】
2008307347.tif 000004
(57)【要約】      （修正有）【課題】現在、玩具市場ではこの〈星の王子様〉を題材とした（音楽）（光）（動き）を同時に楽しめる物はなく、この発明により、３次元において立体物を鑑賞するという世界中のこの童話愛好者の欲求を満たす。【解決手段】円錐形の本体２の内部に音源、光源、動力を内蔵し、外部に人形１を装飾する。又、光は星型の窓３から透過する。【選択図】図１
2008307348.tif 000002
【特許請求の範囲】
【請求項１】
童話〈星の王子様〉を題材とした玩具
【請求項２】
本体にオルゴール（又は音声チップ）、光源を内蔵する物で、本体が動力により回転する。
【請求項３】
本体の外部に〈星の王子様〉の登場人物の人形をとりつけて装飾する。
【請求項４】
本体の仕様を変えて他の童話や題材の物もできる。
例：人形を魚類にして海の世界を再現する等
【発明の詳細な説明】
【技術分野】
【０００１】本発明は玩具に関する物であり、童話〈星の王子様〉を題材に、本体の回転、光源による発光、オルゴール（又は音声チップ）による音楽を１つにまとめた物である。
【背景技術】
【０００２】従来世界中で出版されている童話がある。
【非特許文献１】サン＝テグジュペリ著、岩波書店  １９６２年１１月２７日発行
【発明の開示】
【発明が解決しようとする課題】
【０００３】しかし、この童話を題材にした玩具で本発明の様に音、光、動きを同時に楽しめる物は無く、この童話を愛好する世界中の人々の欲求を満たす事を課題とする。
【課題を解決するための手段】
【０００４】この課題を解決するための請求項１の発明は、円錐形の本体に光源、音源、動力を内蔵させ、さらに本体の外に人形を装飾することにより童話の世界を立体的に再現する。
【発明の効果】
【０００５】本発明により、童話の世界を再現できる。
【発明を実施するための最良の形態】
【０００６】［図１］は、本体の外観図である。本体には人形をとりつけるための穴があり、ここに任意に装飾する。又、星型の窓から光を透過させる。【０００７】［図２］は、本体の断面図である。台座には動力、音源、光源が内蔵される。
【産業上の利用可能性】
【０００８】本発明に係る玩具は工業的に量産する事が可能であるため、産業上の利用可能性を有する。
【図面の簡単な説明】
【０００９】
【図１】本体の外観図である。
【図２】本体の断面図である。
【符号の説明】
【００１０】  １．  人形
２．  回転円錐体
３．  光透過窓
４．  台座
５．  支柱
６．  回転円錐体
７．  光源
８．  動力
９．  台座
１０．  音源
【図１】
2008307348.tif 000003
【図２】
2008307348.tif 000004
(57)【要約】      （修正有）【課題】ゴルフパターのスイングに一定の負荷を加え、反復練習をすることで必要な筋肉の増強が計れる。筋肉の増強が増すと、強くなったパワーがテークバック及び、フォロースルーをコンパクトにまとめることが可能となり、結果として方向性．距離感の精度が高まるスイング練習器を提供する。【解決手段】パター専用台１と複数の支点の間を糸４，５，１０で結び、負荷をかけてバランスをとりながらスイングの練習をする。その時に掛かっている負荷力で筋肉を鍛える。【選択図】図１
2008307343.tif 000002
【特許請求の範囲】
【請求項１】
１支点から１０支点に対して、各々の支点から糸でパターを引っ張って、しかも負荷の度合いが均一に吊りあうように保持する。
多方向からパターを引っ張り合っても元の位置に戻る機構とする。
パター本体に対して、支点間から負荷力をかける機構に、スプリング．ゴム．空圧．油圧．重り．電気抵抗などを用いる。又は、複合した構造であり、負荷力の変更も可能とする。
パターと支点間を結ぶ糸には、樹脂糸．ワイヤー．チェーン等を使用する。
【請求項２】
パターと支点間を吊り合わせて保持する手段として、本体に直接取り付けることも可能であるが、多種類のパターを簡易に取替えて利用が可能となるパター専用台を設けた。
【請求項３】
パターと支点間を結んだ糸を、事前に目標方向に向かって設けた線から外れないように前後に動作させると目標に対して正確な方向が再現できる。
【発明の詳細な説明】
【発明の詳細な説明】
【技術分野】
【０００１】  本発明はパタースイング時に使用する筋肉に負荷をかけて筋肉の増強を計り理想的なスイングの構築にある。
【背景技術】
【０００２】  従来の練習器はパターヘッドやシャフトに直接重りを取付けるといった手段が用いられているが、パターヘッドを重くすると全体の重量が増して方向が一定しないし、手首を多用するといった弊害がスイングの妨げになっていた。
【発明の効果】
【０００３】  本発明はパタースイングに必要な筋肉を特化して鍛え、力強いパワーがテークバック．フォロースルーをコンパクトにして方向性及び、距離感を身につけられる。
【発明が解決しょうとする課題】
【０００４】  本発明はパタースイングに必要な筋肉を鍛えるためパターに一定の負荷を掛けながらスイングのできる練習器を提供する。
【課題を解決するための手段】
【０００５】  上記目的を解決するため本発明の第一はパター専用台と複数の支点の間を糸で結び、負荷をかけてバランスをとりながらスイングの練習をする。
その時に掛かっている負荷力で筋肉を鍛える。
【０００６】第二の発明はパターと支点間を結んだ糸を、事前に目標に向かって設けた線から外れないように前後に動作すると目標に対して正確な方向が示される。
【発明を実施するための最良の形態】
【０００７】  図１及び図２は本発明の一例を示すものである。【０００８】  図１はパターを取付ける前で負荷の度合いが釣りあった状態の本体である。【０００９】  図２はテークバックの動作状態を示す。
パター専用台１にパターを取付けテークバックのスイングをする。
テークバック時に専用台１を後方へ引くと糸４と糸５が引っ張られて左側の滑車６と滑車７右側の滑車８と滑車９を介してスプリング２とスプリング３が引き伸ばされる。
同時に糸１０が後方の滑車１１と滑車１２を介して、スプリング４が収縮して糸１０を引っ張る。【００１０】  図３は図１の機構を分離し携帯用にした本体の側面図である。
パター１６とシャフト１８を取付けた専用台１から伸びた糸１７が本体筒２０に取り付けた滑車１４を介してスプリング１５を上下に引っ張る機構で、設置用に架台１９を設けた。
【図面の簡単な説明】
【図１】  本発明第１からなるパタースイング筋肉増強練習器の一例を示す斜視図である。
【図２】  本発明第１からなるパタースイング筋肉増強器のテークバック使用時の様子を示す斜視図である。
【図３】  本発明第２からなるパター専用台１にパターを取付け、図１の機構を分離して携帯用にした機構の側面図である。
【符号の説明】
１パター専用台
２左側のスプリング
３右側のスプリング
４糸
５糸
６左側の滑車
７左側の滑車
８右側の滑車
９右側の滑車
１０糸
１１後方の滑車
１２後方の滑車
１３後方用スプリング
１４滑車
１５スプリング
１６ゴルフパター
１７糸
１８パターシャフト
１９架台
２０本体の筒
【図１】
2008307343.tif 000003
【図２】
2008307343.tif 000004
【図３】
2008307343.tif 000005
(57)【要約】【課題】従来、漆椀は、経験と技術のある職人がロクロ挽きして生産してきた、近年に至り、後継職人の不足、  椀の材料たる自然木の減少、ロクロ挽きによる無駄の多い材料の使用の非効率さ、等によりコルク材椀こそ有効に無駄なく資源を利用することが出来る。また誰でも経験が無くとも製作することが出来る。以上の理由によりコルク材を素地とした漆椀を此処に提供する。【解決手段】直径２０センチのコルク板に半径４センチの円を描く、中心から放射状に均等に６本線引きする、放射状線の末端から外縁に沿って２センチの点に、線を前後に挟んで二点の印をつける、其処から内円と放射状線の交差接点まで線引きする、外縁を底辺（４センチ）とする二等辺三角形が出来る、以上、６箇所切り取る、円板本体を内側に湾曲させ三角に切りとつた箇所を接着して半円形の器を作る、コルク（幅１センチ長さ１５センチ）を丸くリングにして器の底に接着して高台とする、漆塗装により木材刳りぬき椀に遜色ないコルク材を素地とした漆椀が提供できる。【選択図】図１
2008307354.tif 000002
【特許請求の範囲】
【請求項１】
本発明に係わるコルク製椀は、適宜の厚さを有する円形状のコルク板に外縁を底辺とした三角形数箇所を作り、此れを切り取り、内側に湾曲させて、切り口を接着、固定して半円形状の器を製し、底部にコルク帯を円形状に成型して高台とするコルク製椀。
【請求項２】
前記半円形の器および高台を漆塗装してなる請求項１のコルク製漆塗り椀。
【請求項３】
コルク円板の中心から均等に数多くの線を放射状に引き、かつ内円の大きさを変化させる事によりコルク円板は種々に形を変化させる工程。
【請求項４】
コルク材による椀の漆塗り加工。
【発明の詳細な説明】
【技術分野】
【０００１】本発明は、コルク板を円形に切り抜き、外周部に数箇所三角形に切り込み、切除する、内側を湾曲させ半円形となし、切除部分を接着して器となす、底にリング状にしたコルクを接着し高台とし椀の素地を完成させる。
【背景技術】
【０００２】従来、椀の素地を製造するには経験と技術をもつた職人によつて成されてきた、現今は、職人の不足、椀に適した樹木の枯渇等により大勢は海外からの輸入に依存している、また、コルク材を素地とした漆椀の見聞はない。
【発明の開示】
【発明が解決しようとする課題】
【０００３】平均的汁椀を一個作るには木材（１２センチ×１２センチ×７センチ）１００８立方センチのブロックを必要とする、木材ブロックは角をハツラレ，荒引きされ、約４０パーセントが木屑と化す、更に木地職人の手でロクロ挽きされ４０パーセントが鉋屑になる、荒引き、仕上げ挽きと二人の職人の工程により実に８０パーセント強の木材ブロックが木屑、鉋屑と化し再利用される事なく廃棄される、椀になり、役立つ木材資源は僅か２０パーセント弱に過ぎない、本発明の使用材料なら無駄を省き、木屑、鉋屑を出すことなく椀の素地を提供する事が出来る。
【課題を解決するための手段】
【０００４】コルク円形板（径２０センチ）に中心から半径４センチの円を書く、中心から放射状に６本の線を引く、外縁に接する放射状線を挟み両側に２センチの印を付ける、二点の印を線引きする、線の両端から内円と放射状線の交差点まで線引きする、外縁を底辺とする二等辺三角形が出来る、以上六箇所の三角形を切除し、円板を内側に湾曲させ、切除部分を接着する、完全乾燥するまでガムテープで仮止めする。半円形の器が出来る、幅１センチ長さ１５センチのコルクを輪にして半円形器の底に接着して高台とする、口径１３センチの大型の椀が完成する。
【発明の効果】
【０００５】一年間に、何千個、何万個と生産される木製漆塗り椀に使用される貴重な木材（ケヤキ、トチ、ブナ、マツ、アスナロ、水目サクラ）等が、消滅から守られ、無駄な資源の浪費が無くなる。間伐材、枝打ち材から生産されるコルク利用の増加が見込まれる。また経験のない素人でも簡単に漆芸に取り組むことが出来る。
【発明を実施するための最良の形態】
【０００６】以下、本発明の実施の形態を説明する。
（イ）コルク円板（厚さ２ミリ直径２０センチ）（１）、に半径４センチの円を描く（３）、
（ロ）中心から均等に六本放射状に線を引く（２）、外縁に放射状線（２）を挟んで二箇所２センチに印付けする（５）。
（ハ）外縁印二箇所（５）から放射状線（２）と内円（３）の交差点（４）、まで二本、線引きする（７）、二等辺三角形が出来る（６），三角形（６）を六箇所切除する。
（ニ）コルク円板本体（１）を内側に湾曲させ、切除した（６）の切り口を接着する、
（ホ）乾燥するまでガムテープ等で固定仮止めする。
（ヘ）コルク帯（幅１センチ長さ１５センチ）をリング状にして（８）器底に接着する。
本発明は以上の構成よりなる。
【図面の簡単な説明】
【０００７】
【図１】  コルク円板本体の平面図、及びコルク帯
【図２】  コルク材椀の素地製造過程、及びリング状コルクの斜視図
【図３】  コルク椀の完成斜視図
【図４】  本発明の漆塗り椀の完成側面図
【符号の説明】
【０００８】  １      コルク円板本体
２      放射状線６本
３      内円
４      内円と放射状線の接点
５      外縁印
６      二等辺三角形
７      切り取り線
８      コルク高台
【図１】
2008307354.tif 000003
【図２】
2008307354.tif 000004
【図３】
2008307354.tif 000005
【図４】
2008307354.tif 000006
(57)【要約】【課題】カーテンレールを利用し壁などに穴を開ける事無く、工具を使わず安全に取り付けが出来る掛け器具を提供する。【解決手段】カーテンレールを挟むことで固定し、カーテンレールへの負担を軽減する為に壁面へ支持部とり、アジャスターにて器具自体の角度調整と壁面の保護ができる事を特徴とした掛け器具。上腕部（７）の１端部はカーテンレール（１）を挟み固定する為の挟み部（２）で挟むことにより左右の揺れをなくし固定することが出来る、外す時も上に持ち上げるだけで容易に取り外し出来る。上腕部の他端部はハンガーや物干し竿を掛ける為のフック（３）で落下防止に役立つように出来ている。重い洗濯物を干すため上腕部中間（８）より壁面への支持部（４）を設けカーテンレールに掛かる負担を軽減している。  支持部の他端部は雌ネジなっており、壁接面部（５）のネジ式のアジャスターをねじ込む事により壁面からカーテンレールまでの各建物別寸法差を調整し器具自体の使用角度を水平に保てるようになっている。【選択図】図2
2008307201.tif 000002
【特許請求の範囲】
【請求項１】
カーテンレールを利用した掛け金具であり、上腕部（7）の一端挟み部（2）でカーテンレールを挟むことで固定でき、他端部がハンガーや物干しなどを掛けることが出来るフック部（3）になっている。支持部（4）は上腕部中間から壁面へ支えをとる事で安定させる構造になっている。壁面側は雌ネジになっており、アジャスターの雄ネジ部をねじ込み壁面とカーテンレールとの距離を調整できる事を特徴とする掛け器具。
【発明の詳細な説明】
【技術分野】
【０００１】
本発明は、物干し器具等の掛け器具に関する。
【背景技術】
【０００２】
従来雨天時や外出、防犯のために室内に洗濯物を干す場合、限られたスペースを有効利用するため、カーテンレールに掛ける場合が多かった。このとき使用される器具には種々のものがあり、カーテンレールに引っ掛けるものや、ビス止めして固定するもの、などがある。
【０００３】
例えば特許文献１は干し竿で左右の揺れを無くす構造になっている、また複雑な構造になっている為コストがかさみ安値で消費者に提供できにくい。
【特許文献１】特許第３２３８３８７号公報
【発明の開示】
【発明が解決しようとする課題】
【０００４】
本発明が解決しようとする問題点は、従来雨天時や外出、防犯のため室内に洗濯物を干す場合、限られたスペースを有効利用するため、カーテンレールに掛ける場合が多かった。そのため重さでカーテンレールが歪んだり、カーテンの開閉が自由に出来なかったりと、不都合があった。
【０００５】
洗濯物とカーテンが接触する為、乾きも悪く、カーテンや洗濯物のカビ発生の原因にもなった。
【０００６】
従来の器具等では洗濯物を干す対荷重が無く曲がってしまったり、取り付けるのに工具が必要だったり、壁に穴を開ける必要があった点である。
【課題を解決するための手段】
【０００７】
カーテンレールを挟むことで固定し、カーテンレールへの負担を軽減する為に壁面へ支持部とり、アジャスターにて器具自体の角度調整と壁面の保護ができる事を特徴とした掛け器具。
上腕部（７）の１端部はカーテンレール（１）を挟み固定する為の挟み部（２）で挟むことにより左右の揺れをなくし固定することが出来る、外す時も上に持ち上げるだけで容易に取り外し出来る。上腕部の他端部はハンガーや物干し竿を掛ける為のフック部（３）で落下防止に役立つように出来ている。重い洗濯物を干すため上腕部中間（８）より壁面への支持部（４）を設けカーテンレールに掛かる負担を軽減している。
支持部の他端部は雌ネジなっており、壁接面部（５）のネジ式のアジャスターをねじ込む事により壁面からカーテンレールまでの各建物別寸法差を調整し器具自体の使用角度を水平に保てるようになっている。
【発明の効果】
【０００８】
本発明の取り付けに工具を要さず簡単に取り付けでき、壁面などにビスで取り付けない為穴を開けることも無く、アパートや借家などの取り付けも気軽に出来る。空間を利用することで限られた室内スペースを有効利用できるという利点がある。
【発明を実施するための最良の形態】
【０００９】
以下本発明の形態を図１〜図4に基づいて説明する
【実施例１】
【００１０】
図１は、本発明の１実施例の書面・側面・上面図であって、上腕部（7）の１端部はカーテンレール（１）を挟み固定する為の挟み部（２）が下向きに設置されている為、ネジを使う事無く取り付けすることができる。
【００１１】
挟むことで左右の揺れをなくし固定することが出来る、外す時も上に持ち上げるだけで容易に取り外し出来る。
【００１２】
上腕部の他端部はハンガーや物干し竿を掛ける為のフック部（３）で落下防止に役立つように出来ており図１では物干し（６）が掛けてある
【００１３】
重い洗濯物を干すため上腕部中間（8）より壁面への支持部（4）を設けカーテンレールに掛かる負担を軽減している。
【００１４】
支持部の他端部は雌ネジなっており、壁接面部（５）のネジ式のアジャスターをねじ込む事により壁面からカーテンレールまでの各建物別寸法差を調整し器具自体の使用角度を水平に保てるようになっている。
【００１５】
支持部（４）は壁接面部が壁面へ直角に当たるように雌ねじ部手前で曲がった形になっている。
【００１６】
図２は図１を斜め上方向から見た図である
【実施例２】
【００１７】
図３は本発明品を2つ使いカーテンレール両端に１つずつ取り付け、物干し竿を流し、多くの洗濯物を掛けられるようにした図である。
【００１８】
また外に干していた場合、物干し竿をそのまま部屋の中に入れ迅速に雨天時に対応出来る使用例である。
【００１９】
図１のフック部のデザインを変えた使用例で図４の様に凹を上腕部一端に取り付けた使用例である。
【図面の簡単な説明】
【００２０】
【図１】掛け器具の使用方法を示した正面、側面、上面図である。（実施例１）
【図２】図１の斜め上方向図
【図３】掛け器具の使用方法を示した説明図である。（実施例２）
【図４】図１のフック部を変えた正面、側面、上面図である。
【符号の説明】
【００２１】
１    カーテンレール
２    挟み具
３    フック部
４    支持部
５    アジャスター
６    物干し
７    上腕部
８    接合部
９    曲部
10    掛け器具
11    掛け器具
12    カーテンレール
13    物干し竿
【図１】
2008307201.tif 000003
【図２】
2008307201.tif 000004
【図３】
2008307201.tif 000005
【図４】
2008307201.tif 000006
(57)【要約】      （修正有）【課題】特別配送記載部を十分な大きさにでき、特別速く配送する旨の記載が明確になる配送用ラベルを提供する。【解決手段】配送用ラベル１は、裏面に設けた粘着剤を剥離紙で被覆してなる、配送品の収納体に貼付する配送用ラベルであって、表面には、届け先記載部３と依頼者控え部４と通常より速く配送する旨の「速達」等の文字を記載した特別配送記載部５とを設け、これら各部３，４，５を剥離紙から、各別に剥離できるようスリット６ａ，６ｂで区画形成する。【選択図】図１
2008307822.tif 000002
【特許請求の範囲】
【請求項１】
裏面に設けた粘着剤を剥離紙で被覆してなる、配送品の収納体に貼付する配送用ラベルであって、表面には、届け先記載部と通常より速く配送する旨の文字を記載した特別配送記載部とを設け、これら各部を剥離紙から、各別に剥離できるよう構成したことを特徴とする配送用ラベル。
【発明の詳細な説明】
【技術分野】
【０００１】
本発明は、宅配便で取り扱う配送品の収納体に貼付する配送用ラベルに関する。
【背景技術】
【０００２】
従来の配送に使用されるラベルは、配送伝票の貼付票をラベル状に構成して配送品に貼付するものが一般的であるが、ラベル表面に設ける記載部は少なくとも届け先記載部があれば足りる。ところで、宅配便では信書など郵便物の取り扱いはできないが、書類やカタログなどの印刷物は取り扱いが可能であり、また、近年その需要が高まっている。
【０００３】
これら印刷物の配送に使用するラベルは、特に定型封筒程度の大きさの収納体を使用する場合には、収納体の貼付許容面積が狭いので、届け先記載部だけを備えたラベルが適している。一方、この印刷物を通常の配送よりも速く配送する業務も行われているが、この場合には、特別速く配送する旨の文字を記載することが必要となる。従来、情報を記載するラベル片を備えたものとしては、通常の届け先記載部に小さなラベル状の第２の届け先記載部を剥離可能に設けたラベル状の配送伝票（特許文献１）や、「天地無用、「要冷蔵」」等を記載したラベル状の取扱注意事項表示片を剥離可能に設けた、配送伝票を収納して配送品に貼付される収納体（特許文献２）が知られている。また、特別速く配送する旨の文字を記載した貼付票を有する配送伝票も知られているが、この構成によると、貼付票の大きさは規格化されているので、特別速く配送する旨の文字を記載することによって届け先記載部の面積を小さくしなければならない一方、特別速く配送する旨の記載文字も十分な大きさを確保できないので、記載文字が小さくて目立たず、確認しにくいものとなってしまう。
【０００４】
【特許文献１】特開２００００−１２２５５５号公報
【特許文献２】特開平７−２５７５９１号公報
【発明の開示】
【発明が解決しようとする課題】
【０００５】
本発明は、このような事情に鑑みてなされたもので、十分な大きさの特別配送記載部を確保して、特別配送記載部の記載文字を確認しやすい配送用ラベルを提供することを目的とする。
【課題を解決するための手段】
【０００６】
この目的を達成するために、本発明の請求項１に係る配送用ラベルは、裏面に設けた粘着剤を剥離紙で被覆してなる、配送品の収納体に貼付する配送ラベルであって、表面には、届け先記載部と通常より速く配送する旨の文字を記載した特別配送記載部とを設け、これら各部を剥離紙から、各別に剥離できるよう構成し、収納体に各別に貼付可能としたものである。
【発明の効果】
【０００７】
本発明の請求項１に係る配送用ラベルによれば、収納体に対して届け先記載部と特別配送記載部を各別に独立した状態で貼付できるので、届け先記載部を小さくしなくても、十分な大きさの特別配送記載部を確保でき、また、特別配送記載部を目立つ位置に貼付できるので、記載文字を確認しやすく、通常より速く配送する配送品であることを配送作業者が見過ごすことがないという効果を奏する。
【発明を実施するための最良の形態】
【０００８】
以下、本発明の好適な実施形態を添付図面に基づき説明する。ここにおいて、図１は配送用ラベルを６面付けしたラベルシートを示す概略的な平面図、図２は図１のＡ−Ａ線断面図、図３は所定事項を印字した配送用ラベルを示す平面図、図４は剥離した届け先記載部と特別配送記載部を収納体に貼付した状態を示す斜視図である。
【０００９】
図１及び図２に示すように、配送用ラベル１を６面付けしたＡ４判大のラベルシート１１は、各配送ラベル１の裏面に設けた粘着剤１２を剥離紙１３で被覆してなる。各配送用ラベル１はスリット２ａ，２ｂ，２ｃで区画形成され、それぞれの表面には、届け先記載部３と依頼者控え部４と特別配送記載部５とを設けている。
【００１０】
図１に示すように、各配送用ラベル１の届け先記載部３には、「お届け先」の文字と郵便番号があらかじめ印刷され、依頼者控え部４には、「お客様控」の文字があらかじめ印刷され、特別配送記載部５には、通常より速く配送する旨の記載である「速達」の文字があらかじめ印刷されている。そして、これらの届け先記載部３、依頼者控え部４、特別配送記載部５はスリット６ａ，６ｂで区画形成され、各別に剥離紙１３から剥離可能に構成されている。
【００１１】
本実施形態は以上のように構成したので、図１に示すラベルシート１１の状態で、あらかじめ届け先に関する印字データを入力しておいたコンピュータの出力装置である適宜なプリンタにかけて、届け先記載部３と依頼者控え部４に必要な届け先データを印字する（図２参照、但し、１つの配送用ラベルについてのみ図示）。そして、届け先に対応する印刷物を収納した封筒状の収納体１４の表出面に、剥離紙１３から剥離した届け先記載部３と特別配送記載部５を露出した裏面の粘着剤１２で貼付する。この状態で収納体１４は、従来と同様の配送作業に移るが、「速達」の文字を明確に認識できるので、配送作業者が通常より速く配送する配送品であることを見過ごすことはない。一方、依頼者控え部４は裏面の粘着剤１２で依頼者が管理する管理台帳などに貼付して控えとする。
【００１２】
なお、本発明は、上述した各実施形態に限定されるものではなく、例えば、特別配送記載部５に記載する、通常より速く配送する旨の文字は「速達」に限らず、「至急」、「特速」、など適宜な文字を採用することができる。また、依頼者控え部４は必ずしも設ける必要はない。
【図面の簡単な説明】
【００１３】
【図１】配送用ラベルを６面付けしたラベルシートを示す概略的な平面図。
【図２】図１のＡ−Ａ線断面図。
【図３】所定事項を印字した配送用ラベルを示す平面図。
【図４】剥離した届け先記載部と特別配送記載部を収納体に貼付した状態を示す斜視図。
【符号の説明】
【００１４】
１      配送用ラベル
２ａ，２ｂ，２ｃ，６ａ、６ｂ      スリット
３      届け先記載部
４      依頼主控え部
５      特別配送記載部
１１      ラベルシート
１２      粘着剤
１３      剥離紙
１４      収納体
【図１】
2008307822.tif 000003
【図２】
2008307822.tif 000004
【図３】
2008307822.tif 000005
【図４】
2008307822.tif 000006